(57)【要約】【課題】  樹脂シートの端縁を保持し、樹脂シートがめくれたりばたついたりし難くする。【解決手段】  樹脂シート１０に設けられ簡易ハウスＨの外部と内部空間とを連通する開口２０と、開口２０に設けられ開口２０の周囲の樹脂シート１０の端縁部を保持するシート保持枠２１と、開口２０を覆う大きさに形成され樹脂シート１０が被覆されるとともに開口２０を閉にする閉位置Ｃと開口２０を開にする開位置Ｏの２位置に移動可能な窓枠３０と、窓枠３０を移動させる窓枠移動機構６０とを備えて構成した。【選択図】  図１
0003113982.tif 000002
【実用新案登録請求の範囲】
【請求項１】
骨組に樹脂シートを被覆して内部空間を形成する簡易ハウスの当該樹脂シートを開閉する簡易ハウスのシート開閉装置において、
上記樹脂シートに設けられ上記簡易ハウスの外部と内部空間とを連通する開口と、上記開口に設けられ該開口の周囲の上記樹脂シートの端縁部を保持するシート保持枠と、該開口を覆う大きさに形成され樹脂シートが被覆されるとともに上記開口を閉にする閉位置と上記開口を開にする開位置の２位置に移動可能な窓枠と、上記窓枠を移動させる窓枠移動機構とを備えて構成したことを特徴とする簡易ハウスのシート開閉装置。
【請求項２】
上記骨組に設けられ上記窓枠の移動方向に沿うレールと、上記窓枠に設けられ上記レール上を転動するローラとを設けたことを特徴とする請求項１記載の簡易ハウスのシート開閉装置。
【請求項３】
上記シート保持枠を矩形状に形成するとともに該保持枠をその一対の相対向する辺が上記窓枠の移動方向に平行になるように上記骨組に設け、該保持枠の辺を上記窓枠が開位置になる移動方向に延設するとともに該延設された保持枠の辺をレールとして構成したことを特徴とする請求項２記載の簡易ハウスのシート開閉装置。
【請求項４】
上記骨組を、アーチ状の金属製の複数のパイプを列設して構成し、
上記開口をその左右の巾間に上記パイプが少なくとも１つ臨む大きさに形成し、上記窓枠に上記開口に臨んだパイプの外側を転動する別のローラを設けたことを特徴とする請求項２または３記載の簡易ハウスのシート開閉装置。
【請求項５】
上記骨組を、アーチ状の金属製の複数のパイプを列設して構成し、
上記開口をその左右の巾間に上記パイプが少なくとも１つ臨む大きさに形成し、
上記窓枠に上記開口に臨んだパイプを遊嵌し該パイプにガイドされるリング状のガイドリングを設けたことを特徴とする請求項１，２，３または４記載の簡易ハウスのシート開閉装置。
【請求項６】
上記窓枠を上下方向に移動可能にし、
上記窓枠移動機構を、一端が上記窓枠の上部に取り付けられ該窓枠を牽引可能な第１索体と、上記骨組の上記開口よりも上部側に設けられ上記第１索体を移動可能に折り返して支持する第１滑車と、一端が上記窓枠の上部に取り付けられ該窓枠を牽引可能な第２索体と、上記骨組の上記開口よりも上部側に設けられ上記第２索体を移動可能に折り返して支持する第２滑車と、上記骨組に上記開口よりも下部側に設けられ上記第２索体の上記第２滑車により支持される部位よりも該第２索体の一端側を移動可能に折り返して支持する第３滑車と、上記開口よりも下部側に設けられ上記第１索体の他端側から該第１索体が巻き付けられるとともに上記第２索体の他端側から上記第１索体とは逆向きに該第２索体が巻き付けられ回転させられて上記第１索体及び第２索体を巻き付け巻き戻しするロッドとを備えたことを特徴とする請求項１，２，３，４または５記載の簡易ハウスのシート開閉装置。
【考案の詳細な説明】
【技術分野】
【０００１】
本考案は、樹脂シートを被覆して構成された簡易ハウスの樹脂シートを開閉する簡易ハウスのシート開閉装置に関する。
【背景技術】
【０００２】
従来、この種の簡易ハウスのシート開閉装置としては、本願出願人の研究に係るものがあり、例えば、特許文献１（特開２００１−２５１９７３号公報）に記載されたものが知られている。
【０００３】
図１２に示すように、このシート開閉装置Ｓａが設けられる簡易ハウスＨは、例えば、骨組Ｒに樹脂シート１を被覆して内部空間を形成した構成としている。
この簡易ハウスのシート開閉装置Ｓａは、樹脂シート１の開閉始端Ａに回転可能に設けられ樹脂シート１を巻き取り巻き戻しするシャフト２と、骨組Ｒに支持され、シャフト２に巻回された樹脂シート１を包持するブラケット３と、樹脂シート１を牽引可能な索体４と樹脂シート１の開閉終端Ｂに設けられ、索体４を移動可能に折り返して支持する索体支持部５と、索体４を巻き取り巻き戻しするロッド６と、シャフト２とロッド６とを互いに正逆に回転させる正逆回転機構７とを設けている。
この簡易ハウスのシート開閉装置Ｓａを用いて、樹脂シート１を開にするときは、正逆回転機構７により、シャフト２とロッド６とを互いに正逆に回転させて、ロッド６から索体４を巻き戻すとともに、シャフト２に樹脂シート１を巻き取らせる。また、樹脂シート１を閉にするときは、正逆回転機構７により、樹脂シート１を開にする際とは逆向きにシャフト２とロッド６とを互いに正逆に回転させて、ロッド６に索体４を巻き取らせるとともに、シャフト２の樹脂シート１を巻き戻していく。
【０００４】
【特許文献１】特開２００１−２５１９７３号公報
【考案の開示】
【考案が解決しようとする課題】
【０００５】
ところで、このような簡易ハウスのシート開閉装置Ｓａにあっては、樹脂シート１は、可撓製の樹脂なのでシャフト２に巻かれた箇所以外の端縁は、風が強いと樹脂シートがめくれたり、ばたついたりしてしまう虞があり、このめくれたりばたついたりした樹脂シートにより樹脂シート１にしわがよる等し樹脂シート１の開閉が困難になる虞があるという問題があった。
【０００６】
本考案は上記の問題点に鑑みて為されたもので、樹脂シートの端縁を保持し、樹脂シートがめくれたりばたついたりし難くした簡易ハウスのシート開閉装置を提供することを目的とする。
【課題を解決するための手段】
【０００７】
このような目的を達成するための本考案の簡易ハウスのシート開閉装置は、骨組に樹脂シートを被覆して内部空間を形成する簡易ハウスの当該樹脂シートを開閉する簡易ハウスのシート開閉装置において、上記樹脂シートに設けられ上記簡易ハウスの外部と内部空間とを連通する開口と、上記開口に設けられ該開口の周囲の上記樹脂シートの端縁部を保持するシート保持枠と、該開口を覆う大きさに形成され樹脂シートが被覆されて当該樹脂シートを保持するとともに上記開口を閉にする閉位置と上記開口を開にする開位置の２位置に移動可能な窓枠と、上記窓枠を移動させる窓枠移動機構とを備えた構成としている。
【０００８】
これにより、骨組を被覆する樹脂シートであって、開口を形成する端縁をシート保持枠で保持する。そのため、風が強くても樹脂シートがめくれたりばたついたりしないようにすることができる。
この簡易ハウスのシート開閉装置によりシートを開にする際には、窓枠移動機構により窓枠を移動させて開位置に位置させる。一方、この簡易ハウスの樹脂シートを閉にする際には、窓枠移動機構により窓枠を移動させて閉位置に位置させる。
この際、シートの端縁はシート保持枠で保持され、ほとんどめくれたりばたついたりする事態が防止され、樹脂シートが窓枠の移動にほとんど影響することなくなり、窓枠の開閉を容易に行なうことができる。
【０００９】
また、必要に応じ、上記骨組に設けられ上記窓枠の移動方向に沿うレールと、上記窓枠に設けられ上記レール上を転動するガイドローラとを設けた構成としている。
これにより、窓枠の移動においては、ローラがレール上を転動する。そのため、窓枠が円滑に移動するようになり、窓枠の開閉の応答性を向上させることができる。
【００１０】
更にまた、必要に応じ、上記シート保持枠を矩形状に形成するとともに該保持枠をその一対の相対向する辺が上記窓枠の移動方向に平行になるように上記骨組に設け、該保持枠の辺を上記窓枠が開位置になる移動方向に延設するとともに該延設された保持枠の辺をガイドレールとして構成している。そのため、新たにレールを設けなくてもよく、構造が簡単になる。
【００１１】
更に、必要に応じ、上記骨組を、アーチ状の金属製の複数のパイプを列設して構成し、上記開口をその左右の巾間に上記パイプが少なくとも１つ臨む大きさに形成し、上記窓枠に臨んだパイプの外側を転動する別のローラを設けている。そのため、ローラ及び別のローラに係る窓枠全体の荷重を各ローラに分散させることができ、各ローラの転動がより円滑になる。これにより、この点においても、窓枠の開閉の応答性を向上させることができる。
【００１２】
また、必要に応じ、上記骨組を、アーチ状の金属製の複数のパイプを列設して構成し、上記開口をその左右の巾間に上記パイプが少なくとも１つ臨む大きさに形成し、上記窓枠に上記開口に臨んだパイプを遊嵌し該パイプにガイドされるリング状のガイドリングを設けている。
これにより、例えば、風が強く吹いたり地震等が生じたりしても、ガイドリングがパイプに遊嵌してガイドされているので、窓枠が殆どずれることなく移動するようになる。そのため、閉時には確実に開口を窓枠で覆うことができるようになり、開口からの雨水等の侵入を防ぐことができる。
【００１３】
更にまた、必要に応じ、上記窓枠を上下方向に移動可能にし、上記窓枠移動機構を、一端が上記窓枠の上部に取り付けられ該窓枠を牽引可能な第１索体と、上記骨組の上記開口よりも上部側に設けられ上記第１索体を移動可能に折り返して支持する第１滑車と、一端が上記窓枠の上部に取り付けられ該窓枠を牽引可能な第２索体と、上記骨組の上記開口よりも上部側に設けられ上記第２索体を移動可能に折り返して支持する第２滑車と、上記骨組に上記開口よりも下部側に設けられ上記第２索体の上記第２滑車により支持される部位よりも該第２索体の一端側を移動可能に折り返して支持する第３滑車と、上記開口よりも下部側に設けられ上記第１索体の他端側から該第１索体が巻き付けられるとともに上記第２索体の他端側から上記第１索体とは逆向きに該第２索体が上記ロッドに巻き付けられ回転させられて上記第１索体及び第２索体を巻き付け巻き戻しするロッドとを備えた構成としている。
【００１４】
これにより、窓枠を下側に移動する際には、ロッドを回転させ、ロッドから第１索体を巻き戻す一方、ロッドに第２索体を巻き取っていく。この際、窓枠は、第２索体により引っ張られて下側に移動していく。また、窓枠を上側に移動する際には、ロッドを回転させ、ロッドから第１索体を巻き戻す一方、第２索体を巻き取っていく。
そのため、窓枠が下側に移動する際には、窓枠は、自重の重さだけでなく、第２索体に引っ張られて下方に移動するので確実に下側に移動できるようになる。
【考案の効果】
【００１５】
本考案の簡易ハウスのシート開閉装置によれば、シート保持枠で開口の周囲の樹脂シートの端縁部を保持するようにしたので、樹脂シートがめくれたりばたついたりする事態が防止され、この樹脂シートが窓枠の移動にほとんど影響することがなくなり、そのため、窓枠を円滑に移動させることができる。
【考案を実施するための最良の形態】
【００１６】
以下、添付図面に基づいて、本考案の実施の形態に係る簡易ハウスのシート開閉装置について詳細に説明する。
図１に示すように、本考案の実施の形態に係る簡易ハウスのシート開閉装置Ｓが設けられる簡易ハウスＨは、例えば、骨組Ｒに樹脂シート１０を被覆して内部空間を形成した構成としている。この簡易ハウスＨは、例えば、温室等として用いられ、温室栽培等に一般に使用されているものである。
簡易ハウスＨの骨組Ｒは、アーチ状の金属製の複数のアーチパイプ１１を列設して構成されている。また、骨組Ｒは、複数のアーチパイプ１１の頂部に架け渡されて設けられる金属製の梁パイプ１２と、アーチパイプ１１の頂部と接地部との間に設けられる中間パイプ１３とを備えている。
【００１７】
図１乃至図１１には、簡易ハウスのシート開閉装置Ｓを示している。この簡易ハウスのシート開閉装置Ｓは、樹脂シート１０に設けられ簡易ハウスＨの外部と内部空間とを連通する開口２０と、開口２０に設けられ開口２０の周囲の樹脂シート１０の端縁部を保持するシート保持枠２１と、開口２０を覆う大きさに形成され樹脂シート１０が被覆されるとともに開口２０を閉にする閉位置Ｃと開口２０を開にする開位置Ｏの２位置に移動可能な窓枠３０と、窓枠３０を移動させる窓枠移動機構６０とを備えて構成されている。
この簡易ハウスのシート開閉装置Ｓの窓枠３０は、実施の形態においては、上下方向に移動になっており、閉位置Ｃから下側に移動して開位置Ｏに位置するとともに、開位置Ｏから上側に移動して閉位置Ｃに位置するようになっている。
【００１８】
詳しくは、開口２０は、例えば、矩形状に形成され、上下の辺が略水平になるように、樹脂シート１０の一部を略矩形状に切って形成されている。また、開口２０は、その左右の巾間にアーチパイプ１１が少なくとも１つ臨む大きさに形成している（実施の形態では２つ）。
また、シート保持枠２１は、図１及び図２に示すように、チャンネル状に形成された４つの金属製の保持部材２２により略矩形状に形成されている。この４つの保持部材２２のうち、シート保持枠２１の一対の相対向する辺を構成する左右の保持部材２２（２２ａ）は、窓枠３０の移動方向に平行になるように形成されている。
更に、図３に示すように、この保持部材２２により樹脂シート１０を保持するには、金属製線体を蛇行して形成されたスプリング２４を開放口２５側から保持部材２２内に挿入し、樹脂シート１０を保持部材２２とスプリング２４で係止して行なわれる。
【００１９】
また、図４にも示すように、４つの保持部材２２のうち、シート保持枠２１の左右の辺を構成する保持部材２２（２２ａ）は、アーチパイプ１１に沿って設けられるとともに、金具２６によりアーチパイプ１１に支持されている。
また、シート保持枠２１の左右の辺を構成する保持部材２２（２２ａ）は、窓枠３０の移動方向であって窓枠３０の開位置方向側に延設されている。この延設された保持部材２２は、後述のローラ４５が転動するレール４０として構成されている。
更に、シート保持枠２１の上下の辺を構成する保持部材２２（２２ｂ）は、図５に示すように、アーチパイプ１１に直交するように設けられ、金具２７によりアーチパイプ１１に支持されている。
また、シート保持枠２１の隣り合う２辺を形成する保持部材２２（２２ａ），２２（２２ｂ）同士は、図６に示すように、ジョイント金具２８によりＬ字またはＴ字に互いに結合されている。
【００２０】
窓枠３０は、図１，図２及び図７に示すように、金属製の４つのフレーム部材３１により矩形状に形成されている。フレーム部材３１は、並列した一対のチャンネル部３２を備えた構成としている。更に、窓枠３０の上下のフレーム部材３１間には、上記の保持部材２２と同様の架設部材３３が架設されている。
また、窓枠３０には、樹脂シート１０が被覆されている。この窓枠３０に被覆された樹脂シート１０は、上記の保持部材２２の場合と同様に、フレーム部材３１のチャンネル部３２にスプリング（図示せず）を挿入することにより保持される。
【００２１】
更に、図８及び図９に示すように、窓枠３０の裏面には、レール４０上を転動するローラ４５が設けられている。このローラ４５は、左右両側端に上下に一対設けられ、Ｌ字状に形成され基端側４７がフレーム部材３１の裏面に接合される一対の軸受金具４６と、軸受金具４６の先端側４８間に架設された円柱状のローラ本体５０とを備えてなる。
軸受金具４６は、基端側４７がフレーム部材３１に２つのドリルネジ４９でネジ止めされている。
ローラ本体５０は、両端に雄ネジ５１を有した回転軸５２を備えている。この回転軸５２は、軸受金具４６の先端側４８に設けた軸受孔４８ａに挿通されている。また、回転軸５２は、その雄ネジ５２に袋ネジ５３がネジ込まれ、軸受孔４８ａからの抜け止めがなされている。図中５４はワッシャーである。
【００２２】
また、図８及び図１０に示すように、窓枠３０の裏側には、開口２０に臨んだアーチパイプ１１を遊嵌しアーチパイプ１１にガイドされるリング状のガイドリング５５が設けられている。
ガイドリング５５は、Ｕ字ボルトで構成されるとともに、このＵ字ボルトを窓枠３０に設けた一対の孔５６に挿入し、Ｕ字ボルトの雄ネジにナット５７をネジ込んで窓枠３０に固定されている。
更に、図８に示すように、窓枠３０に臨んだアーチパイプ１１の外側を転動する別のローラ５８を設けた構成としている。この別のローラ５８は、上記のローラ４５と同様に、基端側４７がフレーム部材３１の裏面に接合される一対の軸受金具４６と、軸受金具４６の先端側４８間に架設された円柱状のローラ本体５０とを備えてなる。
【００２３】
窓枠移動機構６０は、図１，図２，図８及び図１１に示すように、一端６１ａが窓枠３０の上部に取り付けられ窓枠３０を牽引可能な第１索体６１と、骨組Ｒの開口２０よりも上部側に設けられ第１索体６１を移動可能に折り返して支持する第１滑車６２と、一端６３ａが窓枠３０の上部に取り付けられ窓枠３０を牽引可能な第２索体６３と、骨組Ｒの開口２０よりも上部側に設けられ第２索体６３を移動可能に折り返して支持する第２滑車６４と、骨組Ｒに上記開口２０よりも下部側に設けられ第２索体６３の第２滑車６４により支持される部位よりも第２索体６３の一端６３ａ側を移動可能に折り返して支持する第３滑車６５と、開口２０よりも下部側に設けられ第１索体６１の他端６１ｂ側から第１索体６１が巻き付けられるとともに第２索体６３の他端６３ｂ側から第１索体６１とは逆向きに第２索体６３が巻き付けられ回転させられて第１索体６１及び第２索体６３を巻き付け巻き戻しするロッド６６とを備えた構成としている。
【００２４】
第１索体６１及び第２索体６３は、図８及び図１０にも示すように、例えば、ロープで形成され、一端が窓枠３０に設けられた２つのリング体６７に夫々係止されている。リング体６７は、先端に雄ネジを有したボルト６８が一体に形成され、窓枠３０の裏面側から窓枠３０に設けた孔６９に挿通され、ボルト６８にナット６８ａがネジ込まれてネジ止めされている。
第１滑車６２及び第２滑車６４は、梁パイプ１２に固定され、また、第３滑車６５は中間パイプ１３に固定されている。
ロッド６６は、アーチパイプ１１に回転可能に支持されている。また、ロッド６６は、軸まわり順方向に回転させられると第１索体６１を巻き戻すとともに第２索体６３を巻き取り、軸まわり逆方向に回転させられると第１索体６１を巻き取り第２索体６３を巻き戻す。また、ロッド６６の端部には、例えば、電動もしくは手動でロッド６６を回転させるギアボックス６６ａが設けられている。また、ギアボックス６６ａには、窓枠３０の非開閉時に、ロッド６６が回転しないようにするストッパ（図示せず）が設けられている。
【００２５】
従って、本考案の実施の形態に係る簡易ハウスのシート開閉装置Ｓにおいては、樹脂シート１０は、シート保持枠２１で保持される。そのため、強く風が吹いたりしてもめくれたり、ばたついたりし難くすることができる。
また、窓枠３０に被覆された樹脂シート１０も窓枠３０に保持されるので、めくれたり、ばたついたりし難くなる。
更に、シート保持枠２１の左右の保持部材２２をレール４０として構成したので、新たにレール４０を設けなくてもよく、構造が簡単になる。
【００２６】
この簡易ハウスのシート開閉装置Ｓを用いて窓枠３０を開にする際には、ロッド６６を順回転させ、ロッド６６から第１索体６１を巻き戻す一方、ロッド６６に第２索体６３を巻き取っていく。この際、窓枠３０は、第２索体６３により引っ張られて下側に移動して開位置Ｏに移動させられる。
また、簡易ハウスのシート開閉装置Ｓを用いて樹脂シート１０を閉にする際には、ロッド６６を逆回転させ、ロッド６６から第１索体６１を巻き取る一方、第２索体６３を巻き戻していく。この際、窓枠３０は、第１索体６１により引っ張られて上側に移動していく。
【００２７】
また、窓枠３０の移動においては、ローラ４５がレール４０上を転動する。そのため、窓枠３０が円滑に移動するようになり、窓枠３０の開閉の応答性を向上させることができる。
更に、別のローラ５８がアーチパイプ１１上を転動するので、ローラ４５及び別のローラ５８に係る窓枠３０全体の荷重を各ローラ４５，５８に分散させることができ、ローラ４５，５８の転動がより円滑になる。そのため、この点においても、窓枠３０の開閉の応答性を向上させることができる。
更にまた、窓枠３０は、ガイドリング５５でガイドされているので、例えば、風が強く吹いたり地震等が生じたりしても、窓枠３０がほとんどずれることなく移動するようになる。そのため、閉時には確実に開口２０を窓枠３０で覆うことができるようになる。
【図面の簡単な説明】
【００２８】
【図１】本考案の実施の形態に係る簡易ハウスのシート開閉装置の取付状態を示す全体斜視図である。
【図２】本考案の実施の形態に係る簡易ハウスのシート開閉装置を示し、窓枠を外した状態で示す斜視図である。
【図３】本考案の実施の形態に係る簡易ハウスのシート開閉装置の保持部材への樹脂シートの取付状態を示す図である。
【図４】本考案の実施の形態に係る簡易ハウスのシート開閉装置の保持部材を骨組に取り付けた状態で示す要部拡大図である。
【図５】本考案の実施の形態に係る簡易ハウスのシート開閉装置の保持部材を骨組に取り付けた状態で示す要部拡大図である。
【図６】本考案の実施の形態に係る簡易ハウスのシート開閉装置の隣り合う保持部材のコーナー部の取り付け状態を示す要部拡大図である。
【図７】本考案の実施の形態に係る簡易ハウスのシート開閉装置の窓枠の表側を示す図である。
【図８】本考案の実施の形態に係る簡易ハウスのシート開閉装置の窓枠の裏側を示す図である。
【図９】本考案の実施の形態に係る簡易ハウスのシート開閉装置の窓枠の裏側であって、ローラの取付状態を示す分解斜視図である。
【図１０】本考案の実施の形態に係る簡易ハウスのシート開閉装置の窓枠の裏側であって、ガイドリング及びリング体の取付状態を示す分解斜視図である。
【図１１】本考案の実施の形態に係る簡易ハウスのシート開閉装置の窓枠移動機構を示す図である。
【図１２】従来の簡易ハウスのシート開閉装置の一例を示す図である。
【符号の説明】
【００２９】
Ｓ  シート開閉装置
Ｈ  簡易ハウス
１０  樹脂シート
Ｒ  骨組
１１  アーチパイプ
１２  梁パイプ
１３  中間パイプ
２０  開口
２１  シート保持枠
２２  保持部材
２４  スプリング
２５  開放口
３０  窓枠
３１  フレーム部材
３３  架設部材
４５  ローラ
４６  軸受金具
５０  ローラ本体
５５  ガイドリング
５８  ローラ
６０  窓枠移動機構
６１  第１索体
６２  第１滑車
６３  第２索体
６４  第２滑車
６５  第３滑車
６６  ロッド
【図１】
0003113982.tif 000003
【図２】
0003113982.tif 000004
【図３】
0003113982.tif 000005
【図４】
0003113982.tif 000006
【図５】
0003113982.tif 000007
【図６】
0003113982.tif 000008
【図７】
0003113982.tif 000009
【図８】
0003113982.tif 000010
【図９】
0003113982.tif 000011
【図１０】
0003113982.tif 000012
【図１１】
0003113982.tif 000013
【図１２】
0003113982.tif 000014